(57)【特許請求の範囲】
【請求項１】
被撮影者の顔部の画像を受像し第１の画像データを作成するビデオカメラと、
人物画および背景画を含むとともに前記人物画の少なくとも１つは顔部が枠で構成される画像を第２の画像データとして記憶する記憶手段と、
前記第２の画像データの枠内のデータを前記第１の画像データに置き換えることにより第３の画像データを作成する制御手段と、
前記第３の画像データが示す画像を印刷するプリンタと、前記第３の画像データが示す画像を逐次表示する表示手段と、
前記被撮影者が前記背景画に対応した色および光度の調整を行うことができる照明調整手段と、
を具備することを特徴とする画像印刷装置。
【請求項２】
前記ビデオカメラと前記被撮影者の間に設置され、前記ビデオカメラの受像には影響を与えずに前記表示手段の表示結果を前記被撮影者が見えるように反射するハーフミラーをさらに具備することを特徴とする請求項１記載の画像印刷装置。
【請求項３】
前記ビデオカメラの位置をかえる位置移動手段と、前記位置移動手段への移動指示を入力するとともに、前記ビデオカメラの受像サイズを変化させるズーム指示を入力する操作手段とをさらに具備することを特徴とする請求項１または２記載の画像印刷装置。
【請求項４】
前記記憶手段には、複数種類の第２の画像データが記憶されており、前記第２の画像データのうちの１つを選択する選択手段をさらに具備することを特徴とする請求項１、２または３記載の画像印刷装置。
【請求項５】
全構成要素を収容する移動可能なボックスをさらに具備し、前記ボックス内で撮影および印刷が行われることを特徴とする請求項１、２、３または４記載の画像印刷装置。
【発明の詳細な説明】
【０００１】
【産業上の利用分野】
この発明は、人の顔の画像と背景の画像とを合成し印刷する画像印刷装置に関する。
【０００２】
【従来の技術】
被撮影者の操作により簡易かつ短時間で証明写真が得られるボックス形状の個室（以降、写真ボックスと称す）が普及している。この写真ボックスは、撮影装置（インスタント写真機）、照明、料金ボックスなどを内部に備え、駅などの多くの人が集まる場所に設置される。この写真ボックスを利用する場合、撮影対象者は、ボックス内に入り、所定の料金を料金ボックスに投入するとともに、予め定められた簡単な操作によって撮影装置の調整、および撮影を行い、撮影結果である証明写真を得る。
【０００３】
一方、レジャーランドなどの観光地においては、ほとんどの場合、その観光地の特徴を示す景色を背景として記念撮影が行われる。また、特徴を示す景色、人物などが描かれたパネルの顔部の穴に撮影対象者の顔を入れて撮影したり、用意された衣装に着替えて撮影したりすることもある。
【０００４】
【発明が解決しようとする課題】
ところで、上述した写真ボックスは証明写真用であることから、背景は白色などの単色無地の背景に限定され、さらに写真サイズが限定されており、背景を替えたり、拡大プリントしたする記念撮影の用途には利用できない。
【０００５】
また、撮影に銀塩方式の写真機を用いた場合、多種多様の画面サイズを同時に得ることや、背景を自由に変更するといったことが可能となるが、撮影対象者以外の人物（同伴者や写真屋さんなど）が写真機を操作しなければならず、さらに、撮影に係わる装置がかなり複雑化するといった欠点があった。しかも、高詳細な写真や大判の写真を得ようとすると、出来上がるまでに時間がかかり、後日配送という手段が必要になる。
【０００６】
この発明は、写真ボックスの利用感覚で、手軽にしかも短時間に、被撮影者の嗜好を満足する記念写真が得られる画像印刷装置を提供することを目的としている。
【０００８】
【課題を解決するための手段】
この発明は、上記課題を解決するためになされたものであり、請求項１記載の発明は、被撮影者の顔部の画像を受像し第１の画像データを作成するビデオカメラと、人物画および背景画を含むとともに前記人物画の少なくとも１つは顔部が枠で構成される画像を第２の画像データとして記憶する記憶手段と、前記第２の画像データの枠内のデータを前記第１の画像データに置き換えることにより第３の画像データを作成する制御手段と、前記第３の画像データが示す画像を印刷するプリンタと、前記第３の画像データが示す画像を逐次表示する表示手段と、前記被撮影者が前記背景画に対応した色および光度の調整を行うことができる照明調整手段とを具備することを特徴とする。
【０００９】
請求項２記載の発明は、請求項１記載の発明において、前記ビデオカメラと前記被撮影者の間に設置され、前記ビデオカメラの受像には影響を与えずに前記表示手段の表示結果を前記被撮影者が見えるように反射するハーフミラーをさらに具備することを特徴とする。
【００１０】
請求項３記載の発明は、請求項１または２記載の発明において、前記ビデオカメラの位置をかえる位置移動手段と、前記位置移動手段への移動指示を入力するとともに、前記ビデオカメラの受像サイズを変化させるズーム指示を入力する操作手段とをさらに具備することを特徴とする。
【００１１】
請求項４記載の発明は、請求項１、２または３記載の発明において、前記記憶手段には、複数種類の第２の画像データが記憶されており、前記第２の画像データのうちの１つを選択する選択手段をさらに具備することを特徴とする。
【００１２】
請求項５記載の発明は、請求項１、２、３または４記載の発明において、全構成要素を収容する移動可能なボックスをさらに具備し、前記ボックス内で撮影および印刷が行われることを特徴とする。
【００１３】
【作用】
請求項１記載の発明によれば、被撮影者の画像と背景の画像とが制御手段により合成され、その合成結果がプリンタによって印刷される。このため、記念写真を簡易かつ短時間で得ることができる。
【００１４】
また、請求項１記載の発明によれば、背景の画像の顔枠部に、被撮影者の顔部の画像が合成され、その合成結果が表示手段に表示され、プリンタにより印刷される。つまり、顔のみが被撮影者であり、服装やヘヤースタイルは選択した背景の人物画像であるため、娯楽性を有する記念写真を簡易かつ短時間で得ることができる。
【００１５】
また、請求項２記載の発明によれば、被撮影者は正面を向いた状態、つまりビデオカメラを正視した状態で、ハーフミラーにおいて反射された合成後の映像を確認することができる。
【００１６】
また、請求項３記載の発明によれば、被撮影者が合成後の映像を見ながら操作子を操作し、顔枠とビデオカメラが受像する被撮影者の顔部の画像のサイズの調整を行えるとともに、位置移動手段によってビデオカメラの位置を調整できるため、例えば被撮影者の顔部を斜めから見た画像の合成が可能となる。
【００１７】
また、請求項４記載の発明によれば、選択手段により被撮影者の好みの背景画を選択することができる。
【００１８】
また、請求項５記載の発明によれば、移動可能なボックス内に全構成要素を収納し、その内部で撮影および印刷が行われるため、屋外に設置可能であるとともに、その設置を容易に行うことができる。
【００１９】
【実施例】
以下、図面を参照して、この発明の一実施例である画像印刷装置について説明を行う。
【００２０】
図１は、この実施例の構成および構造を示す側面図であり、この図の１は被撮影者１００が座るベンチ、２はベンチ１に座った被撮影者１００の主に顔面部の映像を受像するビデオカメラ、３は各種処理を行うコンピュータ、４は画像を表示するＣＲＴ（ディスプレイ）、５はビデオカメラ２の受像に影響を与えずにＣＲＴ４の表示映像を被撮影者に対して反射するハーフミラー、６はビデオカメラ２の位置調整などを行う操作部、７は映像をカラー印刷するプリンタ、７ａはプリンタ７から出力される印刷結果、８は撮影用の照明装置、９は室内照明、１１は投入される貨幣を識別し、収納する料金ボックスである。この料金ボックス１１は必要により設置されるものである。
【００２１】
また、１０はボックスであり、上述した全構成要素を収容する。また、図７はボックス１０の斜視図、図８は被撮影者１００（図１参照）から見たボックス１０内部の外観図であり、ボックス１０の側面に入退場用のドア１０ｃが１つ、背面には管理者が消耗品の交換やメンテナンスを行うためのドア（図示略）がそれぞれ設けられている。また、ボックス１０上面の四隅には、搬入時にクレーンで吊り下げるための吊り下げ用フック１０ａがそれぞれ設けられ、ボックス１０下面の四隅には、固定可能な移動用キャスター１０ｂがそれぞれ設けられている。これらにより、ボックス１０の搬入および設置が容易となる。
【００２２】
図２は上記コンピュータ３の構成を示すブロック図であり、この図において、２０はコンピュータ３の各部の制御およびデータ処理を行うＣＰＵ、２１はＣＰＵ２０の制御プログラム（図３参照）などが記憶されたＲＯＭ、２２はＣＰＵ２０の作業領域として使用されるＲＡＭ、２３は複数種類の背景画像がデータとして複数記憶されているＨＤＤ（ハードディスク装置）、２４はコンピュータ３の外部とデータのやり取りを行うＦＤＤ（フロッピーディスク装置）である。
【００２３】
また、２５は画像データを記憶するＶＲＡＭであり、ビデオカメラ２から供給される画像データを一時的に記憶する受像領域と、ＣＰＵ２０の処理結果である画像データ（つまり、ＣＲＴ４へ供給される画像データ）を記憶する表示領域と、印刷のための画像データを記憶する印刷領域とを有する。また、２６は周辺機器Ｉ／Ｆ（インターフェイス）回路であり、操作部６から供給される操作情報および料金ボックス１１から供給される金額情報をＣＰＵ２０へ出力するとともに、ＣＰＵ２０から供給されるズーム情報をビデオカメラ２へ出力し、さらに、位置移動情報をビデオカメラ２の位置を移動させる位置制御機構（図示略）へ出力する。
【００２４】
また、上述したＲＯＭ２１、ＲＡＭ２２、ＨＤＤ２３、ＦＤＤ２４、ＶＲＡＭ２５，周辺機器Ｉ／Ｆ２６は、バス２７を介してＣＰＵ２０と接続されている。さらに、バス２７はプリンタ７とも接続され、ＣＰＵ２０からの印刷情報がバス２７を介してプリンタ７へ供給される。
【００２５】
また、図４は上述したビデオカメラ２の位置制御機構の説明図（上面図）であり、ビデオカメラ２は水平面（横方向）に対して被撮影者１００を中心とした円周上を移動する。また、上下方向（縦方向）に対しては直線的に移動を行う（図示略）。これらの移動により、被撮影者１００の斜視画像を受像したり、身長（顔の位置）の異なる場合にも、被撮影者１００はベンチ１に座ったままビデオカメラ２の受像を適切な位置に調整することができる。なお、以上の縦方向および横方向の移動は位置制御機構が有する２つのモータ（図示略）によって行われる。
【００２６】
また、図５は操作部６の上面図であり、この図において、６ａは上述したビデオカメラ２の位置調整を行うジョイスティックレバーであり、同レバー６ａを傾けた方向にビデオカメラ２の位置が移動する。また、６ｂは映像ズーミングレバーであり、受像する被撮影者１００の映像が、上方に動かすと拡大、下方に動かすと縮小される。なお、このジョイスティックレバー６ａは後述する背景画の選択にも利用される。
【００２７】
また、６ｃは確認スイッチであり、各種処理における被撮影者１００の選択および確認の有無を入力する。なお、ビデオカメラ２のピント調整はビデオカメラ２が自動的に行う。
【００２８】
次に、図６はＣＲＴ４（図１）の表示例であり、以下この図および図３に示すフローチャートに基づいて、本実施例の動作説明を行う。
【００２９】
まず、図３のステップＳＰ１において、ＣＲＴ４へ図６（ａ）に示すような案内表示がなされる。被撮影者は、この案内に従って料金ボックス１１へ所定額の貨幣を投入する。ステップＳＰ２では、この入金額を調べ、正規の入金がなされた場合には次のステップＳＰ３へ進む。
【００３０】
ステップＳＰ３では、図６（ｂ）に示すような背景画選択画面がＣＲＴ４へ表示される。この選択画面には、四角の枠で囲まれた風景、人物などの背景画が複数表示され、それらの他にキャンセル用の枠が表示される。また、これらの背景画の１つは網掛け表示（枠の赤色表示などの方法でもよい）により、他のものと識別可能な状態で表示されており、この表示のなされた枠が現在の選択対象とされる背景画を示す。
【００３１】
被撮影者は、ベンチ１に座った状態でハーフミラー５に映し出される選択画面を見ながら、ジョイスティックレバー６ａ（図５）を操作し、選択する背景画を好みの背景画に切り替えて、確認スイッチ６ｃ（図５）を押し選択を確定する。そして、ステップＳＰ５において、最終的な背景画が決定されたか否かが調べられ、決定された場合には次のステップＳＰ６へ進みむ。
【００３２】
決定されない場合、つまり選択された背景画が最終的な背景画でない場合には、ステップＳＰ３へ戻り、ステップＳＰ４で選択された背景画に関係する複数の背景画が選択画面として表示される。この選択画面には、例えば、前回の選択（ステップＳＰ４）により選ばれた背景画の同一地点の季節ごとの風景や、異なる角度から見た風景、登場人物が異なる風景などが表示される。
【００３３】
被撮影者は、この選択画面においてさらに選択を行い（ステップＳＰ４）、最終的な背景画を決定する（ステップＳＰ５「Ｙｅｓ」）。ただし、以上の選択において、キャンセルの枠が選択および確定された場合には、ステップＳＰ４でなされた選択を無効とし、１つ前の選択画面を表示させる。
【００３４】
ステップＳＰ６では、図６（ｄ）に示すように、決定された背景画、人物とその顔枠（図中網掛け）などをＣＲＴ４に表示させる。このとき、特徴的な服装や髪型の人物が少なくとも一人表示され、このうちの一人は顔枠を有している。また、この顔枠には、ビデオカメラ２によって受像された被撮影者の顔部の画像が表示される。
【００３５】
つまり、ＣＰＵ２０（図２参照）は、選択された背景画の画像データをＨＤＤ２３からＶＲＡＭ２５の表示領域に転送するとともに、その顔枠部の領域へＶＲＡＭの受像領域に記憶されたビデオカメラ２からの画像データを転送する。これにより、顔枠部のみに被撮影者の顔部の映像が表示される。なお、ＶＲＡＭ２５の顔枠部の領域へのデータ転送は逐次行われる。
【００３６】
また、このとき、通常点灯している室内照明９（図１参照）が消され、照明装置８が点灯する。被撮影者は選択した背景画に対応して、この照明装置の色、光度を調整することができる。
【００３７】
被撮影者は、さらに、上述したハーフミラー５に映し出されるＣＲＴ４の表示を見つつ、顔枠とその顔枠内に表示される自分の顔の位置およびサイズが一致するように、ジョイスティックレバー６ａ（図５参照）および映像ズーミングレバー６ｂを操作し、調整する（ステップＳＰ７）。また、好みにより被撮影者を斜めから見た顔画像を映すこともでき、例えばジョイスティックレバー６ａを右側に倒すと、ビデオカメラ２（図４参照）が被撮影者１００を中心として右方向に移動する。なお、この場合でも、被撮影者は移動することなく、ハーフミラー５を正視しつつ操作を行うことができる。
【００３８】
そして、ステップＳＰ８において操作終了か否か、つまり確認スイッチ６ｃが押されたか否かを調べ、このスイッチが押された場合には次のステップＳＰ９へ進み、押されない場合には上記ステップＳＰ７の処理を繰り返す。
【００３９】
ステップＳＰ９では、ＶＲＡＭ２５（図２）の表示領域に記憶された画像データを印刷領域に転送するとともに、図６（ｆ）に示すような案内画面をＣＲＴ４に表示する。そして、ステップＳＰ１０において、ＣＰＵ２０からプリンタ７へ印刷指示が出力され、プリンタ７は上記印刷領域に記憶された画像データに基づいて印刷を行う。この印刷結果７ａ（図１参照）は、被撮影者１００へ出力され、全処理を終了する。
【００４０】
なお、ステップＳＰ９で、ＶＲＡＭ２５（図２）の表示領域に記憶された画像データを印刷領域に転送する時に、画像データを間引いたり、補間したりすることにより縮小印刷や拡大印刷が容易に行われる。また、ステップＳＰ１０を複数回実行することにより、同一の印刷結果を撮影者の希望する枚数だけ出力することもできる。
【００４１】
また、管理者は、ＦＤＤ２４（図２参照）を介して上述したＨＤＤ２３に記憶される背景画像データを追加したり、更新したりすることができる。また、背景画像データの追加／更新はモデム（図示略）によって電話回線を介して行うこともできる。
【００４２】
また、ＲＡＭ２５へ画像データを供給するビデオ入力端子を新たに設け、被撮影者が用意したビデオ機器と接続可能とすることにより、記念撮影に限らず、被撮影者が撮影あるいは録画した画像を印刷することができる。
【００４３】
また、以上の一実施例の説明においては、ボックス１０内に全ての構成要素を収容し、撮影、印刷など全ての処理をそのボックス１０内で行うものとしたが、このボックス１０を用いずに、室内の一角を利用する形態としてもよい。
【００４４】
また、この実施例は、観光地の記念撮影に限定されるものでなく、例えばゲームセンターなどに設置して記録達成記念用として用いたり、特定の証明書あるいは証明写真として利用してもよい。
【００４５】
【発明、発明の効果】
以上説明したように、請求項１記載の発明によれば、記念写真を簡易かつ短時間で得ることができるという効果が得られる。
【００４６】
また、請求項２記載の発明によれば、娯楽性を有する記念写真を簡易かつ短時間で得ることができるという効果が得られる。
【００４７】
また、請求項３記載の発明によれば、被撮影者は正面を向いた状態、つまりビデオカメラを正視した状態で、ハーフミラーにおいて反射された合成後の映像を容易に確認することができるという効果が得られる。
【００４８】
また、請求項４記載の発明によれば、被撮影者の顔部の画像の位置、サイズおよび撮影する角度を容易に調整することができるという効果が得られる。
【００４９】
また、請求項５記載の発明によれば、被撮影者の好みの背景画を選択することができるという効果が得られる。
【００５０】
また、請求項６記載の発明によれば、屋外への設置が可能になるとともに、その設置を容易に行うことができるという効果が得られる。
【００５１】
【図面の簡単な説明】
【図１】  本発明の一実施例の構成の全体概略を示した図である。
【図２】  図１のコンピュータ３の構成を示すブロック図である。
【図３】  図２のＣＰＵ２０が実行する制御プログラムのフローチャートである。
【図４】  図１のビデオカメラ２の位置制御の説明図である。
【図５】  図１の操作部６の上面図である。
【図６】  図１のＣＲＴ４の表示例を示す図である。
【図７】  図１のボックス１０の斜視図である。
【図８】  図１のボックス１０内部の外観図である。
【符号の説明】
１・・・ベンチ                      ２・・・ビデオカメラ
３・・・コンピュータ                ４・・・ＣＲＴ
５・・・ハーフミラー                ６・・・操作部
６ａ・・・ジョイスティックレバー    ６ｂ・・・映像ズーミングレバー
６ｃ・・・確認スイッチ              ７・・・カラープリンタ
８・・・照明装置                    ９・・・室内照明
１０・・・ボックス                  １１・・・料金ボックス
１０ａ・・・吊り下げ用フック        １０ｂ・・・移動用キャスター
１０ｃ・・・ドア
２０・・・ＣＰＵ                    ２１・・・ＲＯＭ
２２・・・ＲＡＭ                    ２３・・・ＨＤＤ
２４・・・ＦＤＤ                    ２５・・・ＶＲＡＭ
２６・・・周辺機器Ｉ／Ｆ回路        ２７・・・バス
１００・・・被撮影者
【図１】
0003789495.tif 000002
【図２】
0003789495.tif 000003
【図３】
0003789495.tif 000004
【図４】
0003789495.tif 000005
【図５】
0003789495.tif 000006
【図６】
0003789495.tif 000007
【図７】
0003789495.tif 000008
【図８】
0003789495.tif 000009